(57)【特許請求の範囲】
【請求項１】
上梁、下梁、斜め梁および縦梁を含む複数の梁材を有する乗客コンベアのトラスであって、
前記複数の梁材のうちの少なくとも一つの基準梁材を、摺動可能な中空材と挿入棒材とを有する二重構造とし、
前記基準梁材は、通常荷重時に圧縮方向の軸力を受ける場合には圧縮ばねを備え、通常荷重時に引張方向の軸力を受ける場合にはストッパーを備えており、
前記基準梁材と共通する前記縦梁を持つ関連梁材もまた、摺動可能な中空材と挿入棒材とからなる二重構造とし、
前記関連梁材は、通常荷重時に圧縮方向の軸力を受ける場合には圧縮ばねを備え、通常荷重時に引張方向の軸力を受ける場合にはストッパーを備えており、
前記上梁および前記下梁のそれぞれの両端は固定部を備え、前記斜め梁の両端は回転支持部を備える、
乗客コンベアのトラス。
【請求項２】
前記基準梁材は、前記二重構造としなかったとした場合には座屈が発生する座屈梁材である、
請求項１の乗客コンベアのトラス。
【請求項３】
前記基準梁材の圧縮ばね定数は、前記二重構造としなかったとした場合には座屈が発生する座屈梁材の座屈直前軸力ではなく、前記座屈梁材が座屈する直前に前記基準梁材にかかる軸力と、当該トラスの最大圧縮量ｄである圧縮量ｘとから求められた値である、
請求項２の乗客コンベアのトラス。
【請求項４】
前記圧縮ばねは、通常荷重時にかかる軸力で縮む量ｘ０だけ予め縮めた状態で設置されている、
請求項１〜３の何れか一項の乗客コンベアのトラス。
【請求項５】
複数の梁材を有する乗客コンベアのトラスにおいて、
前記梁材は、上側に配置される上梁、
前記上梁と直角に繋がる縦梁、
前記上梁に平行で前記縦梁に直角に繋がる下梁および
前記上梁と前記下梁とを斜め方向に繋ぐ斜め梁を含み、
前記上梁は、一端と他端との間の間隔が変化するように構成され、圧縮ばねを有し、
前記下梁は、一端と他端との間の間隔が変化するように構成され、
前記斜め梁は、一端と他端との間の間隔が変化するように構成され、前記斜め梁の両端が回転支持部で前記梁材と繋がる乗客コンベアのトラス。
【請求項６】
前記下梁は、圧縮ばねまたはストッパーを有し、
前記斜め梁は、圧縮ばねまたはストッパーを有する請求項５に記載の乗客コンベアのトラス。
【請求項７】
前記下梁は、通常荷重時に前記下梁が圧縮方向の軸力を受ける場合には圧縮ばねを有し、通常荷重時に前記下梁が引張方向の軸力を受ける場合にはストッパーを有し、
前記斜め梁は、通常荷重時に前記斜め梁が圧縮方向の軸力を受ける場合には圧縮ばねを有し、通常荷重時に前記斜め梁が引張方向の軸力を受ける場合にはストッパーを有する
請求項５に記載の乗客コンベアのトラス。
【発明の詳細な説明】
【技術分野】
【０００１】
本発明は、乗客コンベアのトラスに関するものである。
【背景技術】
【０００２】
乗客コンベアのトラスは、高低差と支持点間距離とのある建物の部分間を橋渡しするように設置される。トラスの両端部にはＬ型鋼の支持金具が設けられ、下側の支持金具だけが建物側の受け梁に溶接で固定され、上側の支持金具は受け梁に固定されずにそのまま載せられた状態で設置される。このようなトラスを有する乗客コンベアでは、例えば乗客の重みによる主枠のたわみや地震等が発生しても、上側の支持金具が受け梁に対してずれることにより、主枠と受け梁との間で大きな応力が生じることが防止されている。
【０００３】
地震で支持点間距離が広がる方向にゆれる場合には、架かり代を十分に確保しておけばトラスが外れることは無い。反対に地震で建物の受け梁間が縮む方向にゆれる場合にも、トラスと建物との隙間を十分に確保しておけば、トラスが圧縮されることも無い。しかし、現実的には建物とトラスとの間に十分な隙間をもたせることは、全荷重を支える支持金具にかかるモーメントも大きくなるため、限界がある。そのため、建物とトラスとの間に十分な隙間をもたせることが困難な場合には、地震で建物間が縮む方向に揺れたときに、トラスに大きな圧縮荷重がかかることがありうる。
【０００４】
また、長尺の構造部材に圧縮力がかかった場合には降伏点以下でも急に変形の模様が変化し、大きなたわみを生ずる座屈現象が起こる。一度座屈を生じるとその梁材の軸力が急激に低下するため、トラス全体の強度が低下する恐れがあった。
【０００５】
そこで、このような問題に対しては、例えば、特許文献１に開示された構成がある。この構成では、二重構造の梁材を摩擦締結し、予め設定された摩擦力より大きな軸力を受けると軸方向に摺動することで、構造部材には大きな軸力がかからず座屈を予防できる可能性がある。
【先行技術文献】
【特許文献】
【０００６】
【特許文献１】実開平５−６４３６７号公報
【発明の概要】
【発明が解決しようとする課題】
【０００７】
上述した特許文献１に開示された構成では、構造部材が座屈する前に摩擦締結部が摺動することで構造部材に座屈するくらいの大きな軸力がかからないようにする効果がある。しかしながら、地震の逆揺れで圧縮方向の力が除荷された場合には、構造部材がもとに戻らない可能性がある。
【０００８】
本発明は、上記に鑑みてなされたものであり、構造部材が座屈することを防ぎつつ、圧縮荷重が除荷された場合には元の状態に復帰することができる、乗客コンベアのトラスを提供することを目的とする。
【課題を解決するための手段】
【０００９】
上述した目的を達成するため、本発明は、上梁、下梁、斜め梁および縦梁を含む複数の梁材を有する乗客コンベアのトラスであって、前記複数の梁材のうちの少なくとも一つの基準梁材を、摺動可能な中空材と挿入棒材とを有する二重構造とし、前記基準梁材は、通常荷重時に圧縮方向の軸力を受ける場合には圧縮ばねを備え、通常荷重時に引張方向の軸力を受ける場合にはストッパーを備えており、前記基準梁材と共通する前記縦梁を持つ関連梁材もまた、摺動可能な中空材と挿入棒材とからなる二重構造とし、前記関連梁材は、通常荷重時に圧縮方向の軸力を受ける場合には圧縮ばねを備え、通常荷重時に引張方向の軸力を受ける場合にはストッパーを備えており、前記上梁および前記下梁のそれぞれの両端は固定部を備え、前記斜め梁の両端は回転支持部を備える。
【発明の効果】
【００１０】
本発明の乗客コンベアのトラスによれば、構造部材が座屈することを防ぎつつ、圧縮荷重が除荷された場合には元の位置に復帰することができる。
【図面の簡単な説明】
【００１１】
【図１】本発明の実施の形態１の乗客コンベアのトラスの概略図である。
【図２】図１のＡ−Ａ線による断面図である。
【図３】トラスの梁材番号と、各梁材の座屈荷重や軸力等を示す図である。
【図４】本発明の実施の形態１における通常荷重時に圧縮を受ける上梁、下梁の縦断面図である。
【図５】本発明の実施の形態１における通常荷重時に圧縮を受ける斜め梁の縦断面図である。
【図６】本発明の実施の形態１における通常荷重時に引張を受ける上梁、下梁の縦断面図である。
【図７】本発明の実施の形態１における通常荷重時に引張を受ける斜め梁の縦断面図である。
【図８】図３の座屈する枠の概略図であり、（ａ）は通常荷重の場合、（ｂ）はトラスに圧縮荷重がかかった場合を示す図である。
【図９】圧縮力を受けた場合における、圧縮ばねを有しない比較例の梁材と、圧縮ばねを備える本発明の梁材とにおける、圧縮量と軸力と関係を示すグラフである。
【図１０】本発明の実施の形態１における乗客コンベアのトラスの一部を示した構成例の図である。
【図１１】地震により支持点間距離が変わった場合のトラス右上端部の概略図であり（ａ）は設置時、（ｂ）は支持点間距離が狭まる方向の揺れた時、（ｃ）は（ｂ）によりトラスが座屈した後に支持点間距離が広がる方向の揺れた時をそれぞれ示す図である。
【発明を実施するための形態】
【００１２】
以下、本発明に係る乗客コンベアのトラスの実施の形態について添付図面に基づいて説明する。なお、図中、同一符号は同一又は対応部分を示すものとする。
【００１３】
実施の形態１．
図１は、乗客コンベアのトラスの側面図、図２は、乗客コンベアのトラスのＡ−Ａ断面図である。乗客コンベアのトラス１は、図１に示すように高低差Ｈと支持点間距離Ｇとのある建物の該当部分間を橋渡しするように設置される。
【００１４】
図１に示すように、側面から見ると乗客コンベアのトラス１は、多数の梁材によって構成されている。図１において左下端から右上端まで２本の梁材が平行に延びており、その間をつなぐように多数の梁が配置されている。平行する梁材の上側を上梁２、下側を下梁３と称し、上梁２と下梁３とを直角に繋ぐ梁を縦梁４と称し、上梁２と下梁３とを斜め方向に繋ぐ梁を斜め梁５と称する。乗客コンベアのトラス１は、上梁２と、下梁３と、斜め梁５と、前後の一対の縦梁４とからなる枠６が複数連なったように構成されている。
【００１５】
乗客コンベアトラスの断面は、図２に示すように四隅に梁を配置し、上梁２と下梁３とを左右それぞれ縦梁４および斜め梁５で連結し、左右の下梁３を底面梁１５で連結した箱型で構成される。このように、乗客コンベアのトラスは左右対称の構造のため、以下では側面から見た片側を用いて説明する。
【００１６】
図１において、トラスの両端部には、Ｌ型鋼の支持金具１３が設けられ、下側の支持金具１３だけが建物１４側の受け梁に溶接で固定され、長手方向（支持点間距離Ｇの方向）に動かないようになっている。上側の支持金具１３は建物１４側の受け梁に固定されずにそのまま載せられた状態で設置される。このような乗客コンベアでは、例えば乗客の重みによる主枠のたわみや地震等が発生しても、上側の支持金具が受け梁に対してずれることにより、主枠と受け梁との間で大きな応力が生じることが防止される。
【００１７】
このため、地震で支持点間距離Ｇが広がる方向にゆれる場合には、図１に示す架かり代Ｌ２を十分に確保しておけばトラス１が建物１４から外れることを抑制できる。反対に地震で建物間が縮む方向にゆれる場合にも、トラス１と建物１４との隙間Ｌ１を十分に確保しておけば、トラス１が圧縮されることも抑制できる。しかし、現実的には建物とトラスの間に十分な隙間Ｌ１をもたせることは、全荷重を支える支持金具にかかるモーメントも大きくなるため、限界がある。そのため、建物とトラスとの間に十分な隙間をもたせることは容易ではない。
【００１８】
一方、長尺の構造部材に圧縮力がかかった場合には降伏点以下でも急に変形の模様が変化し、大きなたわみを生ずる座屈現象が起こる。一度座屈を生じるとその梁材の軸力が急激に低下するため、トラス全体の強度が低下する恐れがあった。
【００１９】
トラスのどの梁材で座屈が発生するかは、各梁材の座屈荷重と各梁材に加わる軸力によって決まる。これにつき、図３を参照しながら説明する。図３のようなトラスにおいて、座屈荷重をＰｎ（ｎは梁材番号を表し、ここでは１〜３６）、軸力をＦｎとすると、
Ｐｎ＜Ｆｎになる梁材ｂｎにおいて座屈が発生する。
【００２０】
かかる座屈荷重Ｐｎは、以下に示すオイラーの公式やジョンソンの実験式で求めることができる。
【００２１】
【数１】
0006037342.tif 000002
【００２２】
一般的に細長比λが大きい領域ではオイラーの公式、低い領域ではジョンソンの実験式が使われる。どちらの式からも細長比が大きいほど座屈荷重は低くなる。細長比は梁の長さｌ、梁の断面二次モーメントＩ、梁の断面積Ａから求められる。梁の長さｌが長く、断面二次モーメントＩと断面積Ａとが小さいほうが座屈しやすいことがわかる。
【００２３】
また、トラスの各梁材にかかる軸力は、クレモナ線図やＦＥＭ解析によって求めることができる。通常、乗客コンベアのトラスには、乗客ステップ、ガラス欄干、意匠部品等の機器荷重が分布荷重として上下梁に与えられ、各梁材には圧縮方向または引張方向の軸力が働く。この時を通常荷重時ａとして、この時間ａに各梁材に働く軸力をＦｎ＿ａとする。一方、地震等により支持点間距離Ｇが縮まった場合、トラス両端部に圧縮力が加わり、最終的には座屈の発生に至る。この座屈が発生する直前の時間を時間ｂとして、この時間ｂに各梁材に発生する軸力を、圧縮時の軸力Ｆｎ＿ｂとする。ＰｎにＦｎ＿ｂの値が最も近くなる梁材で座屈が発生する。
【００２４】
上述の分析によって座屈する梁材が特定できるので、さらにその梁材に対して適用される本発明の構造について説明する。図４は、本発明の実施の形態１における通常荷重時に圧縮を受ける上梁・下梁（圧縮梁の一態様）の縦断面図であり、図５は本発明の実施の形態１における通常荷重時に圧縮を受ける斜め梁（圧縮梁の別の一態様）の縦断面図であり、図６は本発明の実施の形態１における通常荷重時に引張を受ける上梁・下梁（引張梁の一態様）の縦断面図であり、図７は本発明の実施の形態１における通常荷重時に引張を受ける斜め梁（引張梁の別の一態様）の縦断面図である。
【００２５】
本発明では、後述する二重構造としなかったとした場合には座屈が発生する座屈梁材（基準梁材）を、梁材軸方向に摺動可能な中空材７と挿入棒材８とからなる二重構造とし、その座屈梁材が通常荷重において圧縮方向の軸力を受ける場合には圧縮ばね９を備え、引張方向の軸力を受ける場合にはストッパー１０を備える。また、二重構造としなかったとした場合には座屈が発生する座屈梁材（基準梁材）と共通する縦梁を持つ関連梁材においても同様に、軸方向に摺動可能な中空材７と挿入棒材８とからなる二重構造とし、その関連梁材が通常荷重時に圧縮方向の軸力を受ける場合には圧縮ばね９を備え、引張方向の軸力を受ける場合にはストッパー１０を備える。例えば、座屈が発生する座屈梁材が梁ｂ２であれば、その梁ｂ２と共通する縦梁ｂ２３および縦梁ｂ２５を持つ関連梁材は、梁ｂ２４および梁ｂ１２である。また、上梁２および下梁３それぞれの両端には、固定部１１が設けられ、斜め梁の両端には、回転支持部１２が設けられている。なお、その他の枠６の梁材については従来と同じ梁材を使用する。
【００２６】
図４および図５に示されるように、挿入棒材８は、中空材７の内部に挿入されており、梁材の一端と他端との間の間隔を変更するように、中空材７に対して摺動可能に設けられている。そして、圧縮ばね９は、挿入棒材８の周囲に配置され、圧縮ばね９の一端は、梁材の一端で受けられ、圧縮ばね９の他端は、中空材７の端部で受けられている。また、ストッパー１０は、中空材７の内部に配置され、且つ、挿入棒材８に固定されており、挿入棒材８が中空材７から抜き出される方向に摺動された場合に、その抜き出される方向の最大の摺動量を規定している。
【００２７】
また、上梁２と下梁３との間には、乗客ステップやレール等（図示せず）が配置される。このため、上梁２と下梁３との間隔が縮まる方向の変形につながる縦梁４の伸縮は不可能となるように、縦梁４には、通常の梁を用いる。斜め梁５は、中空材７と挿入棒材８とからなる二重構造のため伸縮可能であるが、両端を回転支持にすることでトラスの支持点間距離Ｇが縮まる方向にだけ伸縮し、上梁２と下梁３の間隔が縮まる方向には縦梁４があるため伸縮しないようになっている。
【００２８】
次に、本発明の原理と動作について説明する。図８は、図３の座屈する１つの枠の概略図であり、（ａ）は通常荷重の場合、（ｂ）はトラスに圧縮荷重がかかった場合を示す。
【００２９】
図３のトラスの例では、梁ｂ２で座屈が発生する。梁ｂ２においては、通常荷重時に圧縮になるため、圧縮ばね付きの摺動可能な梁が採用されている。梁ｂ２の圧縮ばねのばね定数は、圧縮量ｘの時にｂ２の座屈直前軸力Ｆ２＿ｂ以下になるように設定する。圧縮量ｘはトラスの最大圧縮量ｄにしておく。ｄの式を以下に示す。
【００３０】
【数２】
0006037342.tif 000003
【００３１】
トラスを最大圧縮量ｄで圧縮した場合、現実には他の梁材もたわむため、ｘ＜ｄであるが、他の梁材のたわみ量は小さく、ｘ＝ｄにすることで安全側の設計になる。
【００３２】
また、圧縮ばね９は、通常荷重時にかかる軸力Ｆｎ＿ａで縮む量ｘ０だけ予め縮めた状態で設置する。このように圧縮ばねに初期圧縮量ｘ０を与えることで梁材に初期張力を発生させておき、通常時において軸力Ｆｎ＿ａの通常荷重が作用していても、梁材が縮んでしまうことを防止しておくことができる。
【００３３】
圧縮ばねの定数ｋと初期の圧縮量ｘ０との計算式を以下に示す。
【００３４】
【数３】
0006037342.tif 000004
【００３５】
図９に圧縮力を受けた場合における、圧縮ばねを有しない比較例の上梁と、図４の圧縮ばねを備える本発明の上梁２とにおける圧縮量−軸力のグラフを示す。
【００３６】
図９に示すように、比較例の梁材の圧縮力が座屈荷重を越えた場合、急激に軸力が低下し大きなたわみを生ずる座屈現象が起こる。一度座屈を生じるとその梁材の軸力が急激にＤ点まで低下し、通常荷重時にかかる軸力Ｆｎ＿ａ以下になった場合には、梁材の耐力よりも大きな軸力がかかることになるため、この梁はつぶれてしまう恐れがあった。また、一度座屈を起こし耐力がＤ点まで低下した梁材は、その後、地震がおさまり圧縮方向の荷重が除荷されたとしても元の形状には戻らずＥ点で変形が残ることになる。
【００３７】
これに対して、本発明では、圧縮ばね９があるため、図９に従ってＣ点まで反力が上昇するが、支持点間距離が最大変位になった場合でも、Ｆｎ＿ｂ以上の軸力がかかることは無いため、圧縮ばねを備える本発明の梁材が座屈することはない。
【００３８】
また、圧縮ばね９に初期圧縮量ｘ０を与えずに設置した場合、通常荷重によって圧縮ばねが縮む分があるので、地震で圧縮方向の揺れの後に逆方向の揺れで除荷された場合でも図９のＢまでしか変位が戻らない。しかし、初期圧縮量ｘ０を与えておけば、除荷後に図８のＡまで変位が戻る。
【００３９】
上記では通常荷重時に圧縮になる場合を示したが、通常荷重時に引張になる場合には、通常の引張荷重に耐えられる強度を持ち、引張方向に伸びるのを止めるストッパー１０を図６（ａ）、図７（ａ）のように伸びきってストッパー１０がかかった状態で設置する。これにより、通常荷重時にはストッパーがかかり、通常の梁と同じように引張荷重を支える。圧縮時には図６（ｂ）、図７（ｂ）のように、挿入棒材８が中空材７の中に押込まれる。この時、圧縮方向にはストッパーもばねも設置されていないため、反力は発生しない。除荷後には、引張方向の力が働くため、ばねが無くとも自然にストッパーがかかる位置まで伸びる。
【００４０】
図３のトラスにおいて、梁ｂ２を本発明の構造にするだけで、梁ｂ１２と梁ｂ２４とが通常梁のままでは、梁ｂ１２と梁ｂ２４とに圧縮力がかかってしまうため、座屈梁と共通する縦梁を持つ梁材の梁ｂ１２と梁ｂ２４も摺動可能な二重構造とし、斜め梁の両端には回転支持部を設ける。
【００４１】
図１０は、本発明の実施の形態１における乗客コンベアのトラスの一部を示した構成例である。図３のトラスの例の場合、梁ｂ１２と梁ｂ２４とは通常荷重時に引張側になるため、ストッパーを備える構造となり、その結果、図１０（ａ）に示すような、圧縮梁１６と、引張梁１７とからなる構成になる。
【００４２】
図８（ａ）のようなトラスの枠６において、圧縮方向の変位が加えられると、図８（ｂ）のように上梁２と下梁３とが圧縮方向に縮み、斜め梁５は角度も変わりながら縮むように枠６が変形する。除荷後には、上梁２（梁ｂ２）は、圧縮ばねの力で元の長さまで戻り、斜め梁（梁ｂ２４）と下梁（梁ｂ１２）は、通常荷重時の引張方向の力が働くことで元の長さまで戻る。
【００４３】
上記では、座屈梁と共通する縦梁を持つ梁材が通常荷重時に引張荷重になる場合を示したが、圧縮荷重になる場合には、圧縮ばねを設置した圧縮梁とし、その圧縮ばねのばね定数は、座屈梁が座屈する直前に、座屈梁と共通する縦梁を持つ梁材ｂｎにかかる軸力Ｆｎ＿ｂ以下になるように設定する。図３のトラスで梁ｂ１２が通常荷重時に圧縮だったとすると、図１０（ｂ）のような構成になり、梁ｂ１２のばね定数は座屈直前の軸力Ｆ１２＿ｂから設定する。
【００４４】
従来のトラスであれば、図１１（ａ）のように通常荷重においてＬ２の架かり代をもって設置されていたトラスが図１１（ｂ）のように一度、圧縮方向に揺れてトラスの一部の梁が座屈を生じた後、次に、図１１（ｃ）のように反対方向に揺れた場合、トラスは元の変位に戻らずＬ２の架かり代から外れる恐れがあった。それに対して、本発明によれば、梁材の圧縮方向には、圧縮ばねが配置されることにより、地震で圧縮変位が与えられた場合にも、座屈荷重以上の大きな軸力がかかることがない。そして、地震で圧縮方向の揺れの後に逆方向の揺れで除荷された場合でも圧縮ばねの力で元の位置まで戻ることができる。
【００４５】
実施の形態２．
本実施の形態２では、上記実施の形態１において、座屈が発生する梁材以外の任意の梁材（基準梁材）と、その基準梁材と共通する縦梁を持つ関連梁材とを、摺動可能な中空材７と挿入棒材８とからなる二重構造とし、その梁材が通常荷重において圧縮方向の軸力を受ける場合には圧縮ばね９を備え、引張方向の軸力を受ける場合にはストッパー１０を備える構造とする。
【００４６】
図３の例では、梁ｂ２で座屈が発生するが、例えば上部の梁ｂ８を基準梁材とし、その基準梁材である梁ｂ８を、摺動可能な中空材７と挿入棒材８とからなる二重構造とし、梁ｂ８は通常荷重時に圧縮になるため、圧縮ばねを設置する。また、基準梁材である梁ｂ８と共通する縦梁を持つ関連梁材である梁ｂ１７と梁ｂ３５とについても摺動可能な中空材７と挿入棒材８とからなる二重構造とし、梁ｂ３５は通常荷重時に引張になるため、ストッパーを設置し、梁ｂ１７は通常荷重時に圧縮になるため、圧縮ばねを設ける。
【００４７】
この時、基準梁材である梁ｂ８の圧縮ばね定数は、二重構造としなかったとした場合には座屈が発生する座屈梁材である梁ｂ２の座屈直前軸力Ｆ２＿ｂではなく、座屈梁材である梁ｂ２が座屈する直前に基準梁材である梁ｂ８にかかる軸力Ｆ８＿ｂと、トラスの最大圧縮量ｄである圧縮量ｘとから計算された値である。初期の圧縮量ｘ０も、上記と同様、計算式を用いて計算する。梁ｂ１７についても同様である。
【００４８】
任意の梁の位置は傾斜部の位置（図３の例では梁ｂ５の位置）でもよい。傾斜部の場合の圧縮ばね定数は、梁ｂ２が座屈する直前に梁ｂ５にかかる軸力Ｆ５＿ｂと、トラスの最大圧縮量ｄとに対して傾斜角度θの分だけ梁の縮む向きが異なるため、ｘ＝ｄ／ｃｏｓθとして、圧縮ばねの定数ｋと初期の圧縮量ｘ０の計算式を用いて計算する。
【００４９】
このような実施の形態２により以下の効果が得られる。乗客コンベアのトラスは上下梁や縦梁、斜め梁など場所毎に異なる梁材が使用されており、座屈荷重もばらばらである。また、階高や梁の組み方が変わると軸力も変わるため、物件毎にどこが座屈するかは異なる。そのため、実施の形態１による方法では圧縮ばねを設置する位置も物件毎に変更する必要があったが、実施の形態２では、圧縮ばねを設置する位置が任意に決められるため、圧縮ばねを設置する位置を共通化することができる。
【００５０】
以上、好ましい実施の形態を参照して本発明の内容を具体的に説明したが、本発明の基本的技術思想及び教示に基づいて、当業者であれば、種々の改変態様を採り得ることは自明である。
【符号の説明】
【００５１】
１  乗客コンベアのトラス、２  上梁、３  下梁、４  縦梁、５  斜め梁、７  中空材、８  挿入棒材、９  圧縮ばね、１０  ストッパー、１１  固定部、１２  回転支持部。
【図１】
0006037342.tif 000005
【図２】
0006037342.tif 000006
【図３】
0006037342.tif 000007
【図４】
0006037342.tif 000008
【図５】
0006037342.tif 000009
【図６】
0006037342.tif 000010
【図７】
0006037342.tif 000011
【図８】
0006037342.tif 000012
【図９】
0006037342.tif 000013
【図１０】
0006037342.tif 000014
【図１１】
0006037342.tif 000015